(57)【要約】【課題】梁や柱等の躯体構成部材側と軸組等の被連結部材側とで、ボルト孔間のピッチが異なっていても、施工性を良好に維持しながら、躯体構成部材に対して被連結部材を安定して取り付ける。【解決手段】建築用連結金具１の平面プレート１０を、既設梁２と新設軸組３との間に挟み込むとともに、その平面プレート１０の表面に突設した第１ボルト１１、１１を、既設梁２に形成された第１ボルト孔６ａ、６ａに挿通し、平面プレート１０の裏面に突設した第２ボルト１２、１２を、第１ボルト孔６ａ、６ａ間のピッチとは異なるピッチで新設軸組３に形成された第２ボルト孔７ａ、７ａに挿通して、これら第１ボルト１１、１１及び第２ボルト１２、１２にナット１５、１６・・を螺合して締め付けることで、既設梁２と新設軸組３とを連結金具１を介して連結する。【選択図】図３
2008111251.tif 000002
【特許請求の範囲】
【請求項１】
梁や柱等の躯体構成部材（２）に対して軸組等の被連結部材（３）を連結するための建築用連結金具（１）であって、前記躯体構成部材（２）と被連結部材（３）との間に挟み込まれる平面プレート（１０）と、この平面プレート（１０）の表面に突設されて、前記躯体構成部材（２）に形成された複数の第１ボルト孔（６ａ）（６ａ）に挿通される複数の第１ボルト（１１）（１１）と、前記平面プレート（１０）の裏面に突設されて、前記第１ボルト孔（６ａ）（６ａ）間のピッチとは異なるピッチで前記被連結部材（３）に形成された複数の第２ボルト孔（７ａ）（７ａ）に挿通される複数の第２ボルト（１２）（１２）とを備えたことを特徴とする建築用連結金具。
【請求項２】
梁や柱等の躯体構成部材（２）に対して軸組等の被連結部材（３）を連結するための建築用連結金具（１）であって、前記躯体構成部材（２）と被連結部材（３）との間に挟み込まれる平面プレート（１０）と、この平面プレート（１０）の表面に突設されて、前記躯体構成部材（２）に形成された１又は複数の第１ボルト孔（６ａ）（６ａ）に挿通される１又は複数の第１ボルト（１１）（１１）と、前記平面プレート（１０）の裏面に突設されて、前記第１ボルト孔（６ａ）（６ａ）に対して位置ずれした状態で前記被連結部材（３）に形成された１又は複数の第２ボルト孔（７ａ）（７ａ）に挿通される１又は複数の第２ボルト（１２）（１２）とを備えたことを特徴とする建築用連結金具。
【請求項３】
請求項１記載の建築用連結金具（１）の平面プレート（１０）を、梁や柱等の躯体構成部材（２）と軸組等の被連結部材（３）との間に挟み込むとともに、前記建築用連結金具（１）の複数の第１ボルト（１１）（１１）を、前記躯体構成部材（２）に形成された複数の第１ボルト孔（６ａ）（６ａ）に挿通し、前記建築用連結金具（１）の複数の第２ボルト（１２）（１２）を、前記第１ボルト孔（６ａ）（６ａ）間のピッチとは異なるピッチで前記被連結部材（３）に形成された複数の第２ボルト孔（７ａ）（７ａ）に挿通して、これら第１ボルト（１１）（１１）及び第２ボルト（１２）（１２）にナット（１５）（１６）・・を螺合して締め付けることで、前記躯体構成部材（２）と被連結部材（３）とを建築用連結金具（１）を介して連結したことを特徴とする連結構造。
【請求項４】
請求項２記載の建築用連結金具（１）の平面プレート（１０）を、梁や柱等の躯体構成部材（２）と軸組等の被連結部材（３）との間に挟み込むとともに、前記建築用連結金具（１）の１又は複数の第１ボルト（１１）（１１）を、前記躯体構成部材（２）に形成された１又は複数の第１ボルト孔（６ａ）（６ａ）に挿通し、前記建築用連結金具（１）の１又は複数の第２ボルト（１２）（１２）を、前記第１ボルト孔（６ａ）（６ａ）に対して位置ずれした状態で前記被連結部材（３）に形成された１又は複数の第２ボルト孔（７ａ）（７ａ）に挿通して、これら第１ボルト（１１）（１１）及び第２ボルト（１２）（１２）にナット（１５）（１６）・・を螺合して締め付けることで、前記躯体構成部材（２）と被連結部材（３）とを建築用連結金具（１）を介して連結したことを特徴とする連結構造。
【発明の詳細な説明】
【技術分野】
【０００１】
この発明は、梁や柱等の躯体構成部材に対して軸組等の被連結部材を連結するための建築用連結金具及びこれを使用した連結構造に関する。
【背景技術】
【０００２】
鉄骨軸組構造の建物のリフォームにおいて、例えば玄関に垂れ壁を新たに造り付けるといったように、外装部分をモデルチェンジするような場合、既設の梁や柱に対して新設外装材用の新設軸組を新たに連結することがある。
【０００３】
このような連結に際しては、既設の梁や柱に形成されているボルト孔と新設軸組に形成されているボルト孔を利用して、これらボルト孔に挿通したボルトにナットを螺合して締め付けるのが一般的である。このような梁と軸組とをボルト及びナットによって連結する構造は、例えば特許文献１にも開示されている。
【０００４】
【特許文献１】特開平８−４９３４５号公報
【発明の開示】
【発明が解決しようとする課題】
【０００５】
ところが、上記において、建物の建築当初と現在とで軸組の仕様が変わっていると、既設側と新設側とでボルト孔の孔ピッチが異なっていたり、ボルト孔の位置がずれていることがある。このような場合、施工現場において、既設の梁や柱に対して新設軸組を溶接によって連結するといった処理がなされている。
【０００６】
しかしながら、このように溶接による連結では、施工性の悪化を招いて施工時間が長くなったり、新設軸組の取付強度や取付精度にバラツキが生じるといった不具合が生じていた。さらに、溶接時に発生する火花等が火災の原因となるため、安全性においても問題があった。
【０００７】
そこで、この発明は、上記不具合を解決するため、梁や柱等の躯体構成部材側と軸組等の被連結部材側とで、ボルト孔間のピッチが異なっていたり、ボルト孔の位置がずれていても、施工性を良好に維持しながら、躯体構成部材に対して被連結部材を安定して取り付けることができる建築用連結金具及びこれを使用した連結構造の提供を目的とする。
【課題を解決するための手段】
【０００８】
上記課題を解決するため、この発明の建築用連結金具１は、梁や柱等の躯体構成部材２に対して軸組等の被連結部材３を連結するためのものであって、前記躯体構成部材２と被連結部材３との間に挟み込まれる平面プレート１０と、この平面プレート１０の表面に突設されて、前記躯体構成部材２に形成された複数の第１ボルト孔６ａ、６ａに挿通される複数の第１ボルト１１、１１と、前記平面プレート１０の裏面に突設されて、前記第１ボルト孔６ａ、６ａ間のピッチとは異なるピッチで前記被連結部材３に形成された複数の第２ボルト孔７ａ、７ａに挿通される複数の第２ボルト１２、１２とを備えたことを特徴とする。
【０００９】
そして、上記の建築用連結金具１の平面プレート１０を、梁や柱等の躯体構成部材２と軸組等の被連結部材３との間に挟み込むとともに、前記建築用連結金具１の複数の第１ボルト１１、１１を、前記躯体構成部材２に形成された複数の第１ボルト孔６ａ、６ａに挿通し、前記建築用連結金具１の複数の第２ボルト１２、１２を、前記第１ボルト孔６ａ、６ａ間のピッチとは異なるピッチで前記被連結部材３に形成された複数の第２ボルト孔７ａ、７ａに挿通して、これら第１ボルト１１、１１及び第２ボルト１２、１２にナット１５、１６・・を螺合して締め付けることで、前記躯体構成部材２と被連結部材３とを建築用連結金具１を介して連結している。
【００１０】
別の発明の建築用連結金具１は、梁や柱等の躯体構成部材２に対して軸組等の被連結部材３を連結するためのものであって、前記躯体構成部材２と被連結部材３との間に挟み込まれる平面プレート１０と、この平面プレート１０の表面に突設されて、前記躯体構成部材２に形成された１又は複数の第１ボルト孔６ａ、６ａに挿通される１又は複数の第１ボルト１１、１１と、前記平面プレート１０の裏面に突設されて、前記第１ボルト孔６ａ、６ａに対して位置ずれした状態で前記被連結部材３に形成された１又は複数の第２ボルト孔７ａ、７ａに挿通される１又は複数の第２ボルト１２、１２とを備えたことを特徴とする。
【００１１】
そして、上記の建築用連結金具１の平面プレート１０を、梁や柱等の躯体構成部材２と軸組等の被連結部材３との間に挟み込むとともに、前記建築用連結金具１の１又は複数の第１ボルト１１、１１を、前記躯体構成部材２に形成された１又は複数の第１ボルト孔６ａ、６ａに挿通し、前記建築用連結金具１の１又は複数の第２ボルト１２、１２を、前記第１ボルト孔６ａ、６ａに対して位置ずれした状態で前記被連結部材３に形成された１又は複数の第２ボルト孔７ａ、７ａに挿通して、これら第１ボルト１１、１１及び第２ボルト１２、１２にナット１５、１６・・を螺合して締め付けることで、前記躯体構成部材２と被連結部材３とを建築用連結金具１を介して連結している。
【発明の効果】
【００１２】
この発明の連結金具を用いることで、躯体構成部材側と被連結部材側とで、ボルト孔間のピッチが異なっていたり、ボルト孔の位置がずれていても、これらを連結金具によって吸収して、躯体構成部材と被連結部材とをボルト及びナットにより確実に連結することができる。これにより、施工性を良好に維持しながら、被連結部材を躯体構成部材に安定して取り付けることができる。しかも、溶接による連結の場合のような火災の心配がなく、施工現場における作業の安全性も向上することができる。
【００１３】
さらに、躯体構成部材と被連結部材との間には、平面プレートが挟み込まれるだけであるから、連結金具が連結部分から大きく張り出して他部材との干渉を招いたり、単にボルト及びナットによって連結する場合と比べて大きな設計変更を伴うといった不具合を生じることもない。
【発明を実施するための最良の形態】
【００１４】
以下、この発明の実施形態を図面に基づいて詳細に説明する。この発明の一実施形態に係る建築用連結金具１は、鉄骨軸組構造の建物のリフォームにおいて、例えば玄関に垂れ壁を新たに造り付ける場合、図１に示すように、躯体構成部材である既設梁２に対して、被連結部材である新設垂れ壁用の新設軸組３を連結するために用いられる。
【００１５】
既設梁２は、図２及び図３に示すように、上下一対のフランジ５、６の中央部間をウエブ４によって連結したＨ形鋼からなり、その下側フランジ６には、梁長手方向に間隔をあけて一対の第１ボルト孔６ａ、６ａが形成されている。
【００１６】
新設軸組３は、リップ付き溝形鋼からなるフレーム材７・・を方形枠状に組み付けてなり、その上側フレーム材７には、その長手方向に間隔をあけて一対の第２ボルト孔７ａ、７ａが形成されている。この新設軸組３の第２ボルト孔７ａ、７ａと既設梁２の第１ボルト孔６ａ、６ａとは、互いの孔ピッチが異なっており、既設梁２に対して新設軸組３を所定の取り付け位置に配置したときには、第１ボルト孔６ａ、６ａと第２ボルト孔７ａ、７ａとは一致せずに位置ずれした状態となっている。
【００１７】
連結金具１は、図３に示すように、既設梁２の下側フランジ６と新設軸組３の上側フレーム材７との間に挟み込まれる薄板状の平面プレート１０と、平面プレート１０の表面(上面)に一体的に突設された一対の第１ボルト１１、１１と、平面プレート１０の裏面(下面)に一体的に突設された一対の第２ボルト１２、１２とを備えている。
【００１８】
そして、第１ボルト１１、１１間のピッチは、第２ボルト１２、１２間のピッチよりも広くなっていて、第１ボルト１１、１１と第２ボルト１２、１２とは、平面プレート１０の面方向に互いに位置ずれしており、第１ボルト１１、１１が既設梁２の第１ボルト孔６ａ、６ａに、第２ボルト１２、１２が新設軸組３の第２ボルト孔７ａ、７ａに夫々挿通されるようになっている。
【００１９】
この連結金具１を用いた既設梁２と新設軸組３の連結は、まず連結金具１の第１ボルト１１、１１を既設梁２の第１ボルト孔６ａ、６ａに挿通させながら、連結金具１の平面プレート１０を既設梁２の下側フランジ６下面に当接させて、第１ボルト１１、１１にナット１５、１５を螺合して締め付けることで、連結金具１を既設梁２の下側フランジ６に取り付ける。この状態で、連結金具１の第２ボルト１２、１２を新設軸組３の第２ボルト孔７ａ、７ａに挿通させるようにして、既設梁２の下側フランジ６と新設軸組３の上側フレーム材７とで連結金具１の平面プレート１０を挟み込んで、第２ボルト１２、１２にナット１６、１６を螺合して締め付けることで、既設梁２と新設軸組３とを連結金具１を介して連結している。なお、上記の連結に際しては、既設梁２に連結金具１を取り付けてから、新設軸組３を取り付けるようにしているが、新設軸組３に連結金具１を取り付けておいて、この新設軸組３を既設梁２に対して取り付けるようにしても良い。
【００２０】
このように連結金具１を用いることで、既設梁２側と新設軸組３側とで、ボルト孔間のピッチが異なり、しかもボルト孔の位置がずれていても、これらを連結金具１によって吸収して、既設梁２と新設軸組３とをボルト１１、１２・・及びナット１５、１６・・により確実に連結することができる。
【００２１】
図４乃至図６は、他の実施形態に係る連結金具１を示している。図４に示す連結金具１は、平面プレート１０の裏面における第２ボルト１２、１２のうちの一方が、平面プレート１０の表面における第１ボルト１１、１１のうちの一方と同じ位置に配されており、第２ボルト１２、１２のうちの他方が、第１ボルト１１、１１間に配されている。すなわち、この連結金具１は、第１ボルト１１、１１間のピッチと第２ボルト１２、１２間のピッチが互いに異なっており、既設梁２側と新設軸組３側とでボルト孔間のピッチが互いに異なる場合に使用される。
【００２２】
図５に示す連結金具１は、平面プレート１０の裏面における第２ボルト１２が１本で、第１ボルト１１、１１間に配されている。すなわち、この連結金具１は、第１ボルト１１、１１と第２ボルト１２が互いに位置ずれしており、既設梁２側と新設軸組３側とでボルト孔の個数が異なり、且つ、ボルト孔の位置が互いにずれている場合に使用される。
【００２３】
図６に示す連結金具１は、平面プレート１０の表面における第１ボルト１１及び平面プレート１０の裏面における第２ボルト１２がともに１本で、これらが互いに位置ずれしており、既設梁２側と新設軸組３側とで単一のボルト孔の位置が互いにずれている場合に使用される。
【００２４】
この発明は、上記実施形態に限定されるものではなく、この発明の範囲内で上記実施形態に多くの修正及び変更を加え得ることは勿論である。例えば、この発明の連結金具は、建物のリフォーム時の既設梁と新設軸組との連結に使用するだけに限らず、建物の新築時において梁や柱等の躯体構成部材に対して軸組等の被連結部材を連結するために用いるようにしても良い。
【図面の簡単な説明】
【００２５】
【図１】この発明の一実施形態に係る連結金具を用いた連結構造を示す正面図である。
【図２】同じくその斜視図である。
【図３】同じくその分解斜視図である。
【図４】他の実施形態に係る連結金具の正面図である。
【図５】他の実施形態に係る連結金具の正面図である。
【図６】他の実施形態に係る連結金具の正面図である。
【符号の説明】
【００２６】
１・・建築用連結金具、２・・躯体構成部材(既設梁)、３・・被連結部材(新設軸組)、６ａ・・第１ボルト孔、７ａ・・第２ボルト孔、１０・・平面プレート、１１・・第１ボルト、１２・・第２ボルト、１５、１６…ナット
【図１】
2008111251.tif 000003
【図２】
2008111251.tif 000004
【図３】
2008111251.tif 000005
【図４】
2008111251.tif 000006
【図５】
2008111251.tif 000007
【図６】
2008111251.tif 000008